(57)【要約】【課題】使用者が操作しやすく、本体のデザインや大きさに制約を与えない感圧スイッチを有するバウンダリーマイクロホン及び卓上音圧トランジューサーを提供する。【解決手段】  扁平状に形成されたベース１０と、上記ベースの底部に配置された台座１３と、上記ベースに組み込まれ音声を電気信号に変換するマイクロホンユニット３１と、上記マイクロホンユニット３１の出力信号をオン・オフさせる感圧スイッチ１２Ａと、を備え、上記感圧スイッチ１２Ａは、上記ベース１０と上記台座１３との間で押圧されるように少なくとも１つ配置されている。【選択図】        図１
2010278988.tif 000002
【特許請求の範囲】
【請求項１】
扁平状に形成されたベースと、
上記ベースの底部に配置された台座と、
上記ベースに組み込まれ音声を電気信号に変換するマイクロホンユニットと、
上記マイクロホンユニットの出力信号をオン・オフさせる感圧スイッチと、を備え、
上記感圧スイッチは、上記ベースと上記台座との間で押圧されるように少なくとも１つ配置されていることを特徴とするバウンダリーマイクロホン。
【請求項２】
上記台座は、軟質材で形成されたものと硬質材で形成されたものとからなり、上記感圧スイッチは、上記軟質材からなる台座に設けられている請求項１に記載のバウンダリーマイクロホン。
【請求項３】
上記感圧スイッチは、ベースの底部と上記台座との間に配置されるとともに、ベースの上面にも配置されている請求項１または２に記載のバウンダリーマイクロホン。
【請求項４】
上記感圧スイッチは、上記ベースの前側上部が下方に向けて押圧されることによりオン・オフされる請求項１〜３のいずれかに記載のバウンダリーマイクロホン。
【請求項５】
上記感圧スイッチは、メンブレン方式のスイッチである請求項１〜４のいずれかに記載のバウンダリーマイクロホン。
【請求項６】
扁平状に形成されたベースと、
上記ベースの底部に配置された台座と、
上記ベースに組み込まれた電子音響変換ニットと、
上記電気音響変換ユニットの出力信号をオン・オフさせる感圧スイッチと、を備え、
上記感圧スイッチは、上記ベースと上記台座との間で押圧されるように少なくとも１つ配置されていることを特徴とする卓上電気音響変換器。
【請求項７】
上記感圧スイッチは、ベースの底部と上記台座との間に配置されるとともに、ベースの上面にも配置されている請求項６に記載の卓上電気音響変換器。
【請求項８】
上記台座は、軟質材で形成されたものと硬質材で形成されたものとからなり、上記感圧スイッチは、上記軟質材からなる台座に設けられている請求項６または７に記載の卓上電気音響変換器。
【請求項９】
上記感圧スイッチは、上記ベースの前側上部が下方に向けて押圧されかつこの押圧力が解除されることによりオン・オフされる請求項６〜８のいずれかに記載の卓上電気音響変換器。
【請求項１０】
上記電気音響変換ユニットはマイクロホンユニットであり、上記マイクロホンユニットは上記ベースに設けられているコネクタ部によって着脱可能である請求項６〜９のいずれかに記載の卓上電気音響変換器。
【請求項１１】
上記感圧スイッチは、メンブレン方式のスイッチである請求項６〜１０のいずれかに記載の卓上電気音響変換器。
【発明の詳細な説明】
【技術分野】
【０００１】
本発明は、マイクロホンユニットの出力信号をオン・オフする感圧スイッチを有してなる、主に卓上に設置して使用されるバウンダリーマイクロホン及び卓上電気音響変換器に関するものである。
【背景技術】
【０００２】
従来、マイクロホンユニットの出力信号をオン・オフする感圧スイッチを有し、卓上に設置されて使用されるバウンダリーマイクロホン、マイクロホン付きスピーカーなどの卓上電気音響変換器があった。例えば、特許文献１には、バウンダリーマイクロホンの発明が記載されている。バウンダリーマイクロホンは、ＴＶスタジオや会議場などにおいて机や床面に設置して使用されることからサーフェイスマウントマイクロホン（面上収音式マイクロホン）とも呼ばれている。バウンダリーマイクロホンなどの電気音響変換器は主に卓上で使用されるため、その存在が目立たないように、高さを抑えた扁平状のケースにマイクロホンユニットおよびこれに必要な回路が組み込まれることが多い。
【０００３】
例えば、図１２に示すように、バウンダリーマイクロホンのマイクロホンケース１１は、扁平状に形成され、上面側が開放されている金属製のベース１０と、多数の開口（音波導入孔）を有する金属板（パンチングプレート）からなりベース１０の上面を覆うマイクカバー２０により構成される。マイクロホンケース１１の内部には、マイクロホンユニット３１が収納されている。通常、マイクロホンユニット３１には、コンデンサマイクロホンユニットが用いられる。
【０００４】
図１２に示すように、通常バウンダリーマイクロホンなどの卓上電気音響変換器は、マイクロホンユニットの出力信号のオン・オフを使用者に制御させるため、本体上部の前部にメンブレン方式、静電容量式、あるいは機械式など、適宜の方式のプッシュスイッチからなるスイッチ部１２を有している。プッシュスイッチの中でも、マイクロホンの動作時に音声信号に動作音が入りにくいことから、卓上電気音響変換器には、メンブレン方式が多く用いられている。
【０００５】
一般的にメンブレン方式のスイッチは、通常使用者の押圧によって撓む銅箔などのやわらかい導電性の素材と、電気的な導通を検出するためのパターンが形成された基板とで構成されており、銅箔を押して上記パターンに接触させ、また、押圧力の解除により銅箔をその弾力で復帰させることにより、スイッチをオン・オフさせるようになっている。
【０００６】
しかしながら、図１２に示すように、一般的に卓上電気音響変換器のスイッチ部１２は、卓上電気音響変換器本体上部の斜め前方に向かう傾斜面に設置されているため、上記傾斜により使用者によるスイッチ部１２を押す力が分散し易く、スイッチを作動させにくいことがあった。使用者は、スイッチ部１２の面積が小さい場合や、スイッチ部１２が斜めに設置されていて力が分散することで押しにくいと感じると、スイッチ部１２を動作させようとして必要以上に強い力で押し、あるいはボールペンや爪等で圧力を集中的にかけることによってスイッチ部１２を破損させることがあった。
【０００７】
また、使用者がスイッチ部１２の有効な押圧範囲が限られていると視認しにくいと、有効範囲を押すことができずスイッチが入らないといった不具合が生じることがあった。そのため、卓上電気音響変換器を設計する際にはスイッチ部１２に十分な面積を持たせる必要があり、本体の大きさやデザインに制約を受けることがあった。
【先行技術文献】
【特許文献】
【０００８】
【特許文献１】特開２００８−２８８９３３号公報
【発明の概要】
【発明が解決しようとする課題】
【０００９】
本発明は、使用者が操作しやすく、スイッチ部を破損させにくく、本体のデザインや大きさに制約を与えないように構成を工夫した、感圧スイッチを有するバウンダリーマイクロホン及び卓上電気音響変換器を提供することを目的とする。
【課題を解決するための手段】
【００１０】
本発明に係るバウンダリーマイクロホンは、扁平状に形成されたベースと、上記ベースの底部に配置された台座と、上記ベースに組み込まれ音声を電気信号に変換するマイクロホンユニットと、上記マイクロホンユニットの出力信号をオン・オフさせる感圧スイッチと、を備え、上記感圧スイッチは、上記ベースと上記台座との間で押圧されるように少なくとも１つ配置されていることを最も主要な特徴とする。
【００１１】
また、本発明に係る卓上電気音響変換器は、扁平状に形成されたベースと、上記ベースの底部に配置された台座と、上記ベースに組み込まれた電気音響変換ユニットと、上記ユニットの出力信号をオン・オフさせる感圧スイッチと、を備え、上記感圧スイッチは、上記ベースと上記台座との間で押圧されるように少なくとも１つ配置されていることを最も主要な特徴とする。
【発明の効果】
【００１２】
本発明によれば、ベースまたはバウンダリーマイクロホン若しくは卓上電気音響変換器本体を押圧するだけでスイッチを作動させることができ、操作性を高めることができる。また、上記スイッチはベースと台座の間で押圧されることにより作動する感圧スイッチであることから、ベースまたはバウンダリーマイクロホン若しくは電気音響変換器本体を押圧するとベースが沈み込みながらスイッチが作動するため、使用者はスイッチが作動したことを容易に認識することができ、使用者が必要以上の押圧力を加えることによってスイッチ部を破損させるといった不具合を防止することができる。感圧スイッチを使用したことにより、デザインや大きさに制約を与えないバウンダリーマイクロホン及び卓上電気音響変換器を得ることができる利点もある。
【図面の簡単な説明】
【００１３】
【図１】本発明にかかるバウンダリーマイクロホンの実施例を示す断面図である。
【図２】本発明にかかる卓上電気音響変換器に用いることができる感圧スイッチの例を示す断面図である。
【図３】本発明にかかる卓上電気音響変換器に用いることができる感圧スイッチの他の例を示す断面図である。
【図４】本発明にかかる卓上電気音響変換器に用いることができる感圧スイッチの他の例を示す断面図である。
【図５】本発明にかかる卓上電気音響変換器に用いることができる感圧スイッチの他の例を示す断面図である。
【図６】本発明にかかる卓上電気音響変換器であるマイクロホンスタンドの上面図である。
【図７】本発明にかかる卓上電気音響変換器であるマイクロホンスタンドの側面図である。
【図８】本発明にかかる卓上電気音響変換器であるマイクロホンスタンドの底面図である。
【図９】本発明にかかる卓上電気音響変換器であるマイクロホン付きスピーカーの底面図である。
【図１０】本発明にかかる卓上電気音響変換器であるマイクロホン付きスピーカーの側面図である。
【図１１】本発明にかかる卓上電気音響変換器であるマイクロホン付きスピーカーの平面図である。
【図１２】従来のバウンダリーマイクロホンの例を示す断面図である。
【発明を実施するための形態】
【００１４】
以下、本発明に係るバウンダリーマイクロホン及び卓上電気音響変換器の実施例について図面を参照しながら説明する。
図１に示す、実施例はバウンダリーマイクロホンの例で、主要な構成部として、高さを抑えた扁平状のマイクロホンケース１１と、台座１３と、感圧スイッチ１２Ａ、１２Ｂと、雄ねじ２２と、回路基板３０と、マイクロホンユニット３１と、マイクコード３２と、コードブッシュ３２を有している。マイクロホンケース１１は、上面側が開放された金属製で扁平状のベース１０と、ベース１０の上面を覆うようにして、多数の開口（音波導入孔）を有しベース１０に取り付けられる金属製のマイクカバー２０で構成されている。ベース１０の底面には、垂直方向の高さを抑えた四角柱状の複数の台座１３が配置されている。ベース１０の底面には、感圧スイッチ１２Ａが、少なくとも１つ備えられ、感圧スイッチ１２Ａは、台座１３と上記ベース１０との間に押圧されるように配置されている。さらに感圧スイッチ１２Ｂが、ベース１０の傾斜面に設置されている。ベース１０とマイクカバー２０とにより形成されるマイクロホンケース１１の空間内に、回路基板３０とマイクロホンユニット３１とが収納されている。なお、マイクロホンユニット３１は回路基板３０に実装された状態で収納されてもよいし、回路基板３０とは別にして収納されてもよい。また、回路基板３０にはマイクコード３２の一端が接続され、マイクコード３２の他端側はコードブッシュ３３を介してベース１０から引き出されている。マイクカバー２０は、取り外しできるようにベース１０にねじ止めされている。図１では、見栄え上（意匠上）の観点から、１つの固定ねじ２２とベース１０側に突設された１つのボスによる１点止めがされているが、多点止めとしてもよい。また、場合によっては、ネジ止め以外の方法（例えば嵌合手段など）でマイクカバー２０をベース１０に固定してもよい。
【００１５】
図示の実施例では、ベース１０と、マイクカバー２０の平面形状は、略四角形状をしている。したがって、両者で構成されたマイクロホンケース１１の平面形状も略四角形状をしている。ベース１０の形状としては、垂直面の形状が扁平であるならば、適宜のものを選択でき、四角形状でもよく三角形状でもよい。ベース１０の平面形状が四角形状である場合、マイクカバー１１の平面形状も四角形状に構成すると好ましい。
【００１６】
台座１３の形状としては、目的に応じて適宜のものを選択できるが、四角柱状にすると、安定的で好ましい。台座１３の数は複数であればよい。図示の実施例では、ベース１０は略四角形状の平面形状をしており、それを考慮してベース１０の前側左右に２つ、後ろ側左右に２つ、合計４つの台座１３を配置している。ベース１０を安定に支持するためには、各台座１３の中心点を結ぶ線が四角形を描くように４個の台座１３が設けられていることが望ましい。台座１３の配置は、目的に応じて適宜選択でき、例えば、ベース１０の形状が三角形である場合には、各台座１３の中心点を結ぶ線が三角形を描くように３か所に台座１３を設けることができる。その場合、安定性の観点からベース１０の前側中央に１つ、後ろ側左右に２つ、合計３つの台座１３を配置すると好ましい。
【００１７】
上記複数の台座１３の材質は、目的に応じて適宜のものを選択できるが、例えば軟質材で形成されたものと、硬質材で形成されたものに分けることができる。どの台座１３を軟質材とするかまたは硬質材にするかは、適宜選択することができる。例えば平面形状が四角形状であるバウンダリーマイクロホンの前側１か所に感圧スイッチ１２Ａを備えさせ、その下部に備えられる台座１３と、他方前側の台座１３の２か所を軟質材にする。そして後方の２か所の台座１３を硬質材にすると、後方の台座１３を支点としてマイクロホン本体前方が軟質材である前方の台座１３が沈み込み、スイッチ１２Ａを動作しやすくできるため好ましい。硬質材で形成された台座１３の上面に感圧スイッチ１２Ａを設けてもよいが、上述のように硬質材の台座１３を支点にするため、軟質材１３で形成された台座１３の上部に感圧スイッチ１２Ａを配置するようにすると好ましい。感圧スイッチ１２Ａを前側２か所に設置することも可能である。感圧スイッチ１２Ａは、自己保持回路を備えることもできる。その場合、２か所の押圧の感知にずれが起こると誤作動を招きやすくなり、オン・オフ制御が複雑になるため感圧スイッチ１２Ａの設置点を１か所にするのが好ましい。ベース１０の平面形状を三角形状とし、その底面の頂点近辺の３か所に台座１３を設けている場合、ベース１０の前側の底面に軟質材で形成された台座１３とその上に感圧スイッチ１２Ａを設け、後ろ側左右２つに硬質材で形成された台座１３を配置すると安定的で操作性もよくなり好ましい。一般的にバウンダリーマイクロホンの台座１３は、振動を吸収する必要がある為、ゴムやシリコーンフォームを使用している。それゆえに上記軟質材、硬質材としては適宜のものを選択できるが、軟質材としては、例えば硬度３０度のゴムを使用し、上記硬質材としては、硬度６０度のゴムなどを用いると安定的かつ振動も吸収でき好ましい。
【００１８】
ベース１０の底面には、感圧スイッチ１２Ａが、少なくとも１つ備えられ、感圧スイッチ１２Ａは、台座１３と上記ベース１０で押圧されるように配置されている。そのため、上記感圧スイッチ１２Ａは、ベース１０の上面あるいはマイクロホン本体上部が使用者によって下方に押圧されることにより、ベース１０と台座１３との間で押圧され、オン・オフされることとなる。上記感圧スイッチ１２Ａは、バウンダリーマイクロホンのベース１０の底面、あるいは上記台座１３のベース１０側の面のどちらに取り付けられてよい。感圧スイッチ１２Ａが配置されるベース１０の平面上の位置は、台座１３と上記ベース１０との間でありかつベース１０の底面であるならば、目的に応じて適宜選択できる。従ってバウンダリーマイクロホン本体の使用者に押圧される位置は、台座１３と感圧スイッチ１２Ａの配置位置に対応していればよく、任意の位置を選択することができる。ベース１０の上記上面前方の傾斜面に図示しない感圧スイッチ１２Ｂを押すための目印が付されている場合、それと一致させてスイッチ部１２Ａは傾斜部側の本体前方の台座１３とベース１０の底面との間に備えられると操作性がよく好ましい。
【００１９】
図１では、感圧スイッチ１２Ｂが、ベース１０の前側上部の傾斜面に設置されている。そのため、上記傾斜により使用者の感圧スイッチ１２Ｂを押す力が分散するなどの理由により、従来のバウンダリーマイクロホンのように感圧スイッチ１２Ｂをオン・オフできなかった場合でも、感圧スイッチ１２Ｂが押圧される力で感圧スイッチ１２Ａをオン・オフすることができる。また、感圧スイッチ１２Ｂが正常にオン・オフされた場合は、感圧スイッチ１２Ａが作動しても、適宜の回路設計を用いて使用者の操作に影響しないよう設定されている。なお、上記感圧スイッチ１２Ａが、少なくとも１つ備えられているならば、感圧スイッチ１２Ｂはなくてもよい。
【００２０】
通常、ベース１０は亜鉛ダイカストなどの鋳造により形成されるが、これ以外に金属のプレス成型品が用いられてもよい。また、マイクカバー２０として鉄板などに多数の孔を形成したパンチングプレート（多孔板）が一般に用いられるが、パンチングプレートに代えて金網体を用いてもよい。
【００２１】
通常バウンダリーマイクロホンの場合、マイクロホンユニット３１にはインピーダンス変換器を有するコンデンサマイクロホンユニットが用いられる。図示しないが、回路基板３０には、音質調整回路や音声出力回路などが設けられている。また、上述のように回路基板３０にはマイクコード３２の一端が接続され、マイクコード３２の他端側はコードブッシュ３３を介してベース１０から引き出されている。なお、ワイヤレスの場合には、マイクロホンケース１に送信手段としてアンテナが設けられ、あるいは光学式ワイヤレスの場合には、例えば発光ダイオードが設けられる。
【００２２】
次に、図２ないし図５に示すスイッチ部１２Ａの各種構成例について説明する。図２において、スイッチ部１２Ａは、メンブレン１と、銅箔２と、回路基板３によって構成されている。スイッチ部１２Ａの回路基板３は、そのパターン形成部が台座１３側を向くようにベース１０の底面側に適宜の方法で貼り付けられている。スイッチ部１２Ａのメンブレン１には、銅箔２が任意の方法で張り付けられており、銅箔２が回路基板３側を向くように形成されている。メンブレン１の銅箔２が張り付けられた周辺部は、銅箔２と回路基板３の間に空間ができるように、メンブレン１の形状と、銅箔２の弾性により図示のように山なりになるように形成されている。回路基板３の銅箔２側の面には導通を検出するための上記パターンが形成されており、回路基板３のパターン形成部と銅箔２を接触させると、回路が断線し、感圧スイッチ１２Ａを導通させることができるように設計されている。メンブレン１と、回路基板３のパターン周辺面の重なる部分は接着されている。
【００２３】
メンブレン１と回路基板３の間には、図示しないスペーサーを入れ、偶然の接触による感圧スイッチ１２Ａの誤作動を防げる構造になっていると好ましい。なお、感圧スイッチ１２Ａの方式としては、メンブレン方式によるものに限らず静電容量式、あるいは機械式など適宜のプッシュスイッチを選択できるが、スイッチ音が発生しないためメンブレン方式であると好ましい。また、上記構成のみであると、感圧スイッチ１２Ａのオンの状態を維持するためには、ベース１０の体勢を下方に押圧された状態に維持しなければならない。従って感圧スイッチ１２Ａは、さらに図示しない自己保持回路を備えていると、銅箔２と、回路基板が離れてもオンの状態が確保でき好ましい。自己保持回路が用いられた場合、２か所以上に感圧スイッチ１２Ａがあると、感知にずれが生じて誤作動を招きやすくなり、スイッチのオン・オフ制御が複雑になるため感圧スイッチ１２Ａの設置点を１か所にすると特に好ましい。
【００２４】
上記のように構成することにより、使用者によって図１における感圧スイッチ１２Ｂ、あるいはその周辺が押されると、ベース１０の底部が下方に移動しメンブレン方式の感圧スイッチ１２Ａが台座１３と、ベース１０によって挟まれて押圧される。そして、回路基板３のパターン形成部と銅箔２が接触し、感圧スイッチ１２Ａを導通させることができる。メンブレン１の素材としては、目的に応じて適宜のものを選択でき、素材の柔軟性から樹脂製の膜などで構成されると好ましい。
【００２５】
図３において感圧スイッチ１２Ａは、図２とその構成を上下逆にして、台座１３の上側に適宜の方法で貼り付けられている。感圧スイッチ１２Ａの回路基板３は台座１３のベース面側に適宜の方法で貼り付けられており、感圧スイッチ１２Ａのメンブレン１には、銅箔２が任意の方法で張り付けられている。図２に示す例に対してとその構成を上下逆にしたのみであるから、以下の説明は省略する。上記構造にすることにより、図３の場合と同様に、使用者によって図１における感圧スイッチ１２Ｂ、あるいはその周辺が押されると、ベース１０の底部が下方に移動しメンブレン方式の感圧スイッチ１２Ａが台座１３と、ベース１０によって挟まれて押圧される。上記押圧により、回路基板３のパターン形成部と銅箔２が接触し、スイッチ部１２を導通させることができる。
【００２６】
図４に示す感圧スイッチ１２Ａにおいて、回路基板３は、そのパターン形成部側が台座１３側を向くように、ベース１０の底面に適宜の接着方法で張り付けられている。メンブレン１は台座１３の上面に適宜の接着方法で張り付けられている。メンブレン１のベース１０の底面側には、銅箔２が接着されている。図５に示す感圧スイッチ１２Ａは、図４に示すものと上下逆の構成となっており、回路基板３は、そのパターン形成部がベース１０側に向くように台座１３上面に適宜の接着方法で張り付けられている。メンブレン１はベース１０の底面に接着されている。メンブレン１の台座１３側の面には、銅箔２が接着されている。以上のようにメンブレン１と、回路基板３が一体となっていない構成でも、図１における感圧スイッチ１２Ｂ、あるいはその周辺が押されると、回路基板３のパターン形成部と銅箔２が接触し、感圧スイッチ１２Ａを導通させるように構成することができる。
【００２７】
次に、図６に示す卓上電気音響変換器の実施例について説明する。この実施例は卓上電気音響変換器を構成するマイクロホンスタンドの例である。マイクロホンスタンドとは、例えば、特許第３９０５２２３号公報に記載の発明のような、グーズネックマイクロホンなどを卓上に固定するための台のことである。
【００２８】
図６、図７において、マイクロホンスタンド７０は、主要な構成部分としてベース１０と、台座１３と、感圧スイッチ１２Ａ及び１２Ｂと、カバー６０と、コネクタ５０を有している。ベース１０は、図１に示す実施例と同様に、高さを抑えた扁平状かつ平面形状が四角形状の構成になっている。上記ベース１０の上面を覆うカバー６０も同様に、高さを抑えた扁平状かつその平面形状は四角形状をしている。カバー６０の上面前側には傾斜面があり、そこに感圧スイッチ１２Ｂが設置されている。上記ベース１０の底面には、感圧スイッチ１２Ａが備えられている。さらにその下部に台座１３が備えられている。すなわち感圧スイッチ１２Ａがベース１０の底面と、台座１３に押圧されるように備えられている。また、カバー６０上面略中央には、図示しないマイクロホンなどのアクセサリと着脱可能とするため、コネクタ５０が形成されている。
【００２９】
図８において、ベース１０の平面形状は四角形状であることから、本体の安定を考慮し台座１３はベース１０の四隅に備え付けられている。この場合、図１の記載と同様に、本体前面側の台座１か所に感圧スイッチ１２Ａを備えさせ、その台座と、前面側他方の台座１３の２か所を軟質材にする。そして後方の２か所の台座１３を硬質材にすると、後方の台座１３を支点としてマイクロホン本体前方が軟質材である前方の台座１３が沈み込み、スイッチ１２Ａを動作しやすくできるため好ましい。台座１３の材質は、硬質材で形成された台座１３の上面に感圧スイッチ１２Ａを設けてもよいが、上述のように、軟質材１３で形成された台座１３の上部に感圧スイッチ１２Ａを配置すると硬質材の台座１３を支点として押圧することができるため好ましい。また、感圧スイッチ１２Ａは、図示しない自己保持回路を備えていると、感圧スイッチ１２Ａがオン状態にするためにベース１０の体勢を維持しなくともよく、すなわち押し続ける必要がないため好ましい。その場合、２か所以上感圧スイッチ１２Ａがあると、感知にずれが生じて誤作動を招きやすくなり、スイッチのオン・オフ制御が複雑になるため感圧スイッチ１２Ａの設置点を１か所にすると特に好ましい。マイクロホンスタンド７０における、ベース１０と、ケース６０の平面形状としては、適宜選択でき、三角形でも四角形でもよい。ケース６０の材質は適宜のものが選択でき、プラスチックや金属を用いてもよい。
【００３０】
図７において前面の少なくとも一か所には、図１において説明した構造で、感圧スイッチ１２Ａがベース１０の底面と、台座１３に押圧されるように備えられている。すなわち、マイクロホンスタンド７０は、図１、図２、図３、図４、および図５に示したバウンダリーマイクロホンと同様の感圧スイッチ１２Ａの機構を備えている。また、このように設計することにより、上記マイクロホンスタンド６０の感圧スイッチ１２Ａは、感圧スイッチ１２Ｂあるいはその周辺を操作者に下方に押されることにより、オン・オフされることとなる。また、上記コネクタ部５０によってマイクロホンスタンド７０と、図示しないマイクロホンなどのアクセサリとが着脱可能なっている。従ってグースネック型のマイクロホンなど外部のアクセサリのオン・オフをマイクロホンスタンド７０の感圧スイッチ１２Ａで行うことができる。感圧スイッチ１２Ａ以外のマイクロホンスタンド７０の構成としては、適宜変更することができる。例えば、特許第３９０５２２３号公報に記載の発明で使用されているパイプをフレキシブルなものとしたグーズネックマイクロホンが、コネクタ５０を介して着脱可能になるように構成してもよい。マイクロホンスタンド７０のベース１０、台座１３、および感圧スイッチ１２Ａに関する詳細な構成については、図１、図２、図３、図４、および図５について説明した構成と同様であり、以下の説明は省略する。
【００３１】
さらに、図９に示す卓上電気音響変換器の別の実施例について説明する。この実施例は卓上電気音響変換器を構成するスピーカー付きマイクロホンの例である。スピーカー付きマイクロホンとは、例えば、特開２００５−３１２０４１号公報に記載されている発明のような、電話会議などに使用されるマイクロホンとスピーカーを兼ね備えている卓上電気音響変換器のことである。
【００３２】
図９、図１０、および図１１において、実施例におけるスピーカー付きマイクロホン１００は、主要な構成部分として、ベース１０と、台座１３と、感圧スイッチ１２Ａ及び１２Ｂと、カバー６０と、マイクロホン１０１と、スピーカー１０２を有している。ベース１０は、高さを抑えた扁平状かつ平面形状が三角形状の構成をしている。カバー６０も同様に、扁平状かつその平面形状は三角形状をしている。図９に示すように、台座１３は、ベース１０の底面かつベース１０の平面形状における三角形状の頂点近辺に３つ備えられている。また、図１０に示すように、カバー６０上面前方の傾斜面には感圧スイッチ１２Ｂが設置されている。また、カバー６０上面略中央には、マイクロホン１０２のための通気口と、平面形状における三角形の頂点近辺には、スピーカー１０１のための通気口が形成されている。ベース１０と、カバー６０の内部の図示しない空間には、スピーカー１０１と、マイクロホン１０２が備えられている。その他の構成については、例えば特開２００５−３１２０４１号公報に記載されている発明のように構成されている。
【００３３】
図９、図１０、および図１１において、スピーカー付きマイクロホン１００は、図１、図２、図３、図４および図５で示したバウンダリーマイクロホンと同様の感圧スイッチ１２Ａの機構を備えている。すなわち図１０に示すように、スピーカー付きマイクロホン１００は、そのベース１０の底面に感圧スイッチ１２Ａを備えている。また、スピーカー付きマイクロホン１００は、上記ベース１０の上面を覆うカバー６０と、ベース１０の底面に複数の台座１３を備えている。カバー６０上面前方には、感圧スイッチ１２Ｂが設置されている。このように設計することにより、上記バウンダリーマイクロホンの感圧スイッチ１２Ａは、感圧スイッチ１２Ｂあるいはその周辺を操作者に下方に押されることにより、連動してベース１０と台座１３に押圧され、オン・オフされることとなる。
【００３４】
スピーカー付きマイクロホン１００は、特開２００５−３１２０４１号公報に記載されている発明ように、携帯電話などを接続可能に構成してもよい。図９、図１０、および図１１に示している上記スピーカー付きマイクロホン１００は、ベース１０の平面形状を三角形状としているので、その頂点近辺３か所に台座１３が設けられている。従ってベース１０の前側中央に軟質材の台座１３を１つ、後ろ側左右に硬質材の台座１３を２つ、合計３つの台座１３を配置し、前側の台座１３の上部に感圧スイッチ１２Ａを１つ備えると好ましい。スピーカー付きマイクロホン１００における、ベース１０と、ケース６０の平面形状は、適宜変更することができ、三角形でも四角形、その他任意の形状でもよい。ケース６０の材質は目的に応じて適宜のものが選択でき、プラスチックや金属を用いても良い。上述のように感圧スイッチ１２Ａがオンの状態のときに、自己保持回路を備えていないと、ベース１０はその体勢を維持しなければならないため、別の構成要件が必要となる。従って感圧スイッチ１２Ａは、さらに図示しない自己保持回路を備えていると好ましい。その場合、２か所以上感圧スイッチ１２Ａがあると、感知にずれが生じて誤作動を招きやすくなり、スイッチのオン・オフ制御が複雑になるため感圧スイッチ１２Ａの設置点を１か所にすると特に好ましい。
【００３５】
スピーカー付きマイクロホン１００のベース１０、台座１３、及び感圧スイッチ１２Ａに関する詳細な構成は、ベース１０の平面形状が三角形である以外は、上述の図１、図２図３、図４および図５における上述の説明と同様であり、以下の説明は省略する。
【産業上の利用可能性】
【００３６】
以上、本発明の各種実施形態を説明したが、本発明にかかるバウンダリーマイクロホンおよび卓上電気音響変換器は、これらの実施例の構成に限定されるものでない。すなわち、本発明にかかるバウンダリーマイクロホン及び卓上電気音響変換器の感圧スイッチは、適宜の卓上電気音響変換器であるバウンダリーマイクロホン、マイクロホンスタンドとそのアクセサリ、スピーカー、スピーカー付きマイクロホンなどに利用することができる。また、卓上電気音響変換器として平面に設置していたものを垂直に設置できるようにし、例えばインターホンに適用してもよい。
【符号の説明】
【００３７】
１  メンブレン
２  銅箔
３  回路基板
１０  ベース
１１  マイクロホンケース
１２  感圧スイッチ
１３  台座
２０  マイクカバー
２２  ねじ
３０  回路基板
３１  マイクロホンユニット
３２  マイクコード
３３  コードブッシュ
５０  コネクタ
６０  カバー
７０  マイクロホンスタンド
１００  スピーカー付きマイクロホン
１０１  マイクロホン
１０２  スピーカー
【図１】
2010278988.tif 000003
【図２】
2010278988.tif 000004
【図３】
2010278988.tif 000005
【図４】
2010278988.tif 000006
【図５】
2010278988.tif 000007
【図６】
2010278988.tif 000008
【図７】
2010278988.tif 000009
【図８】
2010278988.tif 000010
【図９】
2010278988.tif 000011
【図１０】
2010278988.tif 000012
【図１１】
2010278988.tif 000013
【図１２】
2010278988.tif 000014